(57)【要約】      （修正有）【課題】記録テープを巻き乱れのない状態で整然と巻き込んでテープエッジの傷付きを確実に防止でき、さらに記録テープを安定した状態でテープリールから繰り出して、信号情報を的確に読み書きする。【解決手段】本体ケースの内部に記録テープを巻き込み収納するテープリール３を設ける。テープリール３のハブ９の周面に、ハブ９の径方向内面へ向かって凹むテープ巻面１５を形成する。テープ巻面１５は、部分円弧面で形成してあり、位置ずれしようとする磁気テープを、テープ巻面１５の自動調心作用によって適正な位置へ変位させて適正な姿勢で巻き込むことができる。また、磁気テープをテープリール３に対して巻き乱れのない状態で整然と巻き込むことができるので、常に安定した状態で磁気テープをテープリール３から繰り出すことができる。【選択図】図１
2009099222.tif 000002
【特許請求の範囲】
【請求項１】
本体ケースの内部に記録テープを巻き込み収納するテープリールが設けてあるテープカートリッジであって、
前記テープリールのハブの周面に、前記ハブの径方向内側へ向かって凹むテープ巻面が形成してあることを特徴とするテープカートリッジ。
【請求項２】
前記テープ巻面が部分円弧面で形成されていて、前記テープ巻面の上半部と下半部との断面形状が上下対称に形成してある請求項１記載のテープカートリッジ。
【請求項３】
前記テープ巻面が、前記ハブの周面の上端縁と下端縁に連続して、これら両端縁を繋ぐ状態で形成してある請求項１または２記載のテープカートリッジ。
【請求項４】
前記ハブの周面の上端および下端のそれぞれに垂直巻面が形成されており、
前記垂直巻面の間に前記テープ巻面が形成してある請求項１または２記載のテープカートリッジ。
【発明の詳細な説明】
【技術分野】
【０００１】
本発明は、本体ケースの内部に、情報信号を記録するテープと、テープを巻き込み収納するテープリールとが配置してあるテープカートリッジに関する。
【背景技術】
【０００２】
一般的なテープリールは、下フランジとハブとを一体に射出成形し、別途成形した上フランジをハブの上端に溶着固定して構成する（特許文献１参照）。本発明のテープリールは、ハブの周面を所定形状に形成するために、固定金型および可動金型とは別にスライドコアを使用して、下フランジおよびハブを一体に射出成形するが、このようにリール部品を成形する際にスライドコアを使用することは、特許文献２・３に公知である。
【０００３】
【特許文献１】特開平０７−１６９２３１号公報（段落番号００１４、図２）
【特許文献２】特開２００７−６６４６６号公報（段落番号００４０、図３）
【特許文献３】特開平０２−１７８１８５号公報（第２頁左下欄１４〜２０行、第３図）
【発明の開示】
【発明が解決しようとする課題】
【０００４】
下フランジとハブを一体に射出成形するテープリールにおいては、多くの場合、記録テープが巻き付けられるハブの周面に抜き勾配を設けて、成形用金型の分離を容易化している。このようにハブの周面に抜き勾配が付与してあるテープリールにおいては、ハブの周囲に巻き付けられた記録テープが抜き勾配に沿って傾きやすく、そのため記録テープをテープリールから繰り出す時や、テープリールに巻き込む時などに、テープエッジが上フランジと接触して折れ曲がることがある。
【０００５】
例えば、信号記録密度が高く、データトラックのトラック幅が狭小化されるサーボトラック方式のテープカートリッジにおいては、記録テープを高速度で繰り出しながら信号の読み書きを行い、あるいは記録テープを高速度でテープリールに巻き込む。そのため、先のようにハブ周面が傾いていると、記録テープを安定した状態でテープリールから繰り出すことが困難となり、サーボヘッドがサーボトラックを追随できずにオフトラック状態に陥り、信号の読み書きに失敗することがある。また、記録テープをテープリールに高速度で巻き込む際に、記録テープが上フランジ側へ偏ってテープエッジを傷付ける不具合を生じやすい。
【０００６】
先の抜き勾配をゼロとしてハブ周面を垂直に形成すると、記録テープの巻き乱れを抑止し、整巻性をある程度は向上できる。しかし、記録テープをテープリールに巻き込む場合に、テープドライブ側の外乱要因によって記録テープが上下いずれかへずれた状態で巻き付けられることがあり、そうした場合に巻き乱れを是正できない。
【０００７】
本発明の目的は、巻姿が乱れかけた記録テープを適正な巻姿に是正しながら巻き取ることができ、したがって記録テープの巻き乱れに伴うテープエッジの傷付きを確実に防止できるうえ、記録テープを安定した状態でテープリールから繰り出して、信号情報を的確に読み書きできるテープカートリッジを提供することにある。本発明の目的は、テープエッジの傷付きを確実に防止しながら、信号情報を的確に読み書きできるサーボトラック方式のテープカートリッジを提供することにある。
【課題を解決するための手段】
【０００８】
本発明のテープカートリッジは、本体ケース１の内部に記録テープ２を巻き込み収納するテープリール３が設けてある。以て、テープリール３のハブ９の周面に、ハブ９の径方向内側へ向かって凹むテープ巻面１５が形成してあることを特徴とする。
【０００９】
テープ巻面１５は部分円弧面で形成することができ、その場合のテープ巻面１５の上半部と下半部との断面形状は上下対称に形成する。
【００１０】
テープ巻面１５は、ハブ９の周面の上端縁９ａと下端縁９ｂに連続して、これら両端縁９ａ・９ｂを繋ぐ状態で形成する。
【００１１】
ハブ９の周面の上端および下端のそれぞれに垂直巻面１６を形成し、垂直巻面１６の間にテープ巻面１５を形成する。
【発明の効果】
【００１２】
本発明においては、本体ケース１の内部に記録テープ２を巻き込み収納するテープリール３を設け、テープリール３を構成するハブ９の周面に、ハブ９の径方向内側へ向かって凹むテープ巻面１５を形成するようにした。このように、ハブ９の周面に内凹み状のテープ巻面１５を形成すると、テープリール３に巻き込む際に記録テープ２をテープ巻面１５に沿って変形させながらテープ巻層を形成できる。
【００１３】
記録テープ２がテープ巻層に外接する部分では、テープ縁に作用する張力に応じた反力が作用し、その垂直分力成分によって記録テープ２をテープ巻面１５の上下中央部へ変位させる傾向が生じる。つまり、内凹み状のテープ巻面１５の自動調心作用によって、上下いずれかへずれた状態でテープ巻層へ巻き付けられようとする磁気テープ２を、テープ巻面１５の凹部の上下中央へ向かって変位させて、適正な位置に適正な姿勢で巻き込むことができる。したがって、巻姿が乱れかけたとしても、磁気テープ２を常に適正な巻姿に是正しながら巻き取ることができ、磁気テープ２の巻き乱れに伴うテープエッジの傷付きを一掃できる。
【００１４】
また、テープリール３に対して巻き乱れのない状態で整然と巻き込まれた磁気テープ２は、安定した状態でテープリール３から繰り出すことができ、したがって高速度で磁気テープ２を繰り出す場合であっても、情報信号の読み書きを確実に行うことができる。
【００１５】
テープ巻面１５を部分円弧面で形成し、テープ巻面１５の上半部と下半部との断面形状が上下対称に形成してあると、テープ巻面１５の上下端に近づくほど先の反力の垂直分力成分を大きくできる。このことは、磁気テープ２が上下いずれかへずれた状態でテープ巻層へ巻き付けられようとするときの復元力を、磁気テープ２のずれ量に比例して大きくすることができることを意味している。したがって、磁気テープ２のずれ量が大きい場合であっても、速やかに磁気テープ２を適正な位置へ変位させて、適正な姿勢で巻き込むことができる。
【００１６】
ハブ９の周面の上端縁９ａと下端縁９ｂとの上下間隔は、磁気テープ２の幅寸法より僅かに大きく設定してあり、したがって、磁気テープ２は先の上端縁９ａと下端縁９ｂとの間で上下にずれる余地がある。しかし、ハブ９の周面の上下端縁９ａ・９ｂに連続して、これら両端縁９ａ・９ｂを繋ぐ状態でテープ巻面１５が形成してあると、磁気テープ２がずれ動くことができる全ての範囲において、テープ巻面１５による自動調心作用を発揮できるので、上下いずれかへずれようとする磁気テープ２の位置をさらに確実に矯正して、適正な位置に適正な姿勢で巻き込むことができる。
【００１７】
ハブ９の周面の上端および下端のそれぞれに垂直巻面１６を形成し、垂直巻面１６の間にテープ巻面１５を形成するテープリール３によれば、記録テープ２の上下のテープ縁がテープ巻層の上下端に常に垂直姿勢で巻き付けられる。したがって、磁気テープ２を繰り出し供給する際には、その上下のテープ縁が垂直姿勢になった状態でテープドライブへ送給されることになり、テープドライブ側のガイドローラーによるテープ幅方向の位置補正を的確に行って、磁気テープ２をさらに安定した状態でテープリール３から繰り出し供給できる。
【発明を実施するための最良の形態】
【００１８】
（実施例１）  図１ないし図５は本発明に係るテープカートリッジの実施例１を示す。図２および図３において、テープカートリッジは、角箱状の本体ケース１内部に磁気テープ（記録テープ）２と、磁気テープ２を巻き込み収納するテープリール３を収容した、サーボトラック方式の単リール形のテープカートリッジとして構成してある。本体ケース１は、上ケース１ａと下ケース１ｂとを蓋合わせ状に接合して構成してあり、下ケース１ｂの底壁にテープリール３を駆動するための駆動穴４が開口してある。図示していないが、テープリール３と上ケース１ａとの間には、不使用時のテープリール３を回転不能にロック保持するロック構造が設けてある。磁気テープ２の繰り出し端にはリーダーブロック（図示していない）が固定してあり、このリーダーブロックを捕捉してケース外へ引き出すことにより、磁気テープ２をテープドライブ装置に渡すことができる。
【００１９】
テープリール３は、リール主体６と、リール主体６の上端に溶着固定される上フランジ７とで構成する。リール主体６は、円盤状の下フランジ８と、下フランジ８の中央上面に設けられる円筒状のハブ９とを一体に形成した射出成形品からなる。下フランジ８の上面には、内縁側から外縁側へ向かって下り傾斜するテーパー面１０が形成してある。ハブ９で囲まれるハブ底壁１２の下面には、テープドライブの駆動軸と噛み合うギヤ歯や、磁石で吸着される吸着板などを設けるが、いずれも図示していない。上フランジ７は円盤状の射出成形品からなり、その下面には内縁側から外縁側へ向かって上り傾斜するテーパー面１３が形成してある。
【００２０】
上記のテープカートリッジにおいて、磁気テープ２を巻き乱れのない状態で整然と巻き込み収納し、さらに磁気テープ２を常に安定した状態でテープリール３から繰り出すために、テープリール３のハブ９の周面に、ハブ９の径方向内面へ向かって凹むテープ巻面１５を形成する。テープ巻面１５は、ハブ９の周面の上端縁９ａと下端縁９ｂとを繋ぐ部分円弧面で形成してある。部分円弧面の中心は、テープ巻面１５の上下方向中央を通る平面状にあって、テープ巻面１５の上半部と下半部との断面形状は上下対称の関係にある。ハブ９の周面の上端縁９ａと下端縁９ｂとの上下間隔は、磁気テープ２の幅寸法より僅かに大きく設定してあり、したがって、磁気テープ２をテープ巻面１５に巻き付けた状態においては、図３に示すようにテープ巻層がテープ巻面１５に沿って内凹み状に変形する。
【００２１】
以上のように、ハブ９の周面に内凹み状のテープ巻面１５を形成したテープリール３によれば、磁気テープ２を高速度でテープリール３に巻き込む際に、磁気テープ２をテープ巻面１５に沿って変形させながらテープ巻層を形成できる。このとき、磁気テープ２の幅方向の中央部分においては、テープ巻面１５の凹み寸法分だけテープ巻層の直径寸法が小さくなるため、磁気テープ２の幅方向上下のテープ縁には、幅方向の中央部分に比べてより強い張力が作用する。
【００２２】
磁気テープ２がテープ巻面１５またはテープ巻層に外接する部分には、先の張力に応じた反力が作用することになる。この反力の垂直分力成分は、テープ巻面１５の上半部と下半部とで互いに逆向きになり、テープ巻面１５の上下中央から離れるほど垂直分力成分が大きくなる。そのため、磁気テープ２が上下いずれかへずれた状態でテープ巻層へ巻き付けられようとすると、ずれた側のテープ縁に作用する先の垂直分力成分が、他方のテープ縁に作用する先の垂直分力成分より大きくなる。その結果、磁気テープ２３は上下のテープ縁に作用する垂直分力成分が均衡する向き、すなわちテープ巻面１５の凹部の上下中央へ向かって変位し、適正な位置に適正な姿勢で巻き込むことができる。つまり、テープ巻面１５およびテープ巻層の自動調心作用によって、巻姿が乱れかけた磁気テープ２を適正な巻姿に是正しながら巻き取ることができる。したがって磁気テープ２の巻き乱れに伴うテープエッジの傷付きや折れ曲がりを一掃できる。
【００２３】
上記のように、テープリール３に対して巻き乱れのない状態で整然と巻き込まれた磁気テープ２は、安定した状態でテープリール３から繰り出すことができ、したがって高速度で磁気テープ２を繰り出す場合であっても、サーボヘッドでサーボトラックを的確に追随して、情報信号の読み書きを確実に行うことができる。
【００２４】
リール主体６は、図４および図５に示す成形用金型を用いて射出成形する。成形用金型は、固定金型２０と、可動金型２１と、左右一対のスライドコア２２とで構成する。固定金型２０によって、下フランジ８およびハブ底壁１２の下面構造が形成される。可動金型２１は、ハブ底壁１２を含むハブ９の内面構造を形成する。スライドコア２２は、下フランジ８の上面構造と、ハブ９の外周面のテープ巻面１５とを形成する。そのために、両スライドコア２２の接合面の中央に、テープ巻面１５に合致する成形穴を断面半円状に形成している。成形用金型を型締めした状態で成形空間に溶融樹脂を注入し、注入した樹脂を冷却して固化させた後、可動金型２１を離型し、さらに左右一対のスライドコア２２を離型することにより、リール主体６を得ることができる。
【００２５】
（実施例２）  図６は本発明に係るテープカートリッジの実施例２を示す。そこでは、ハブ９の周面の上端および下端のそれぞれに垂直巻面１６を形成し、両垂直巻面１６・１６の間にテープ巻面１５を凹み形成した。他は先の実施例と同じであるので、同じ部材に同じ符号を付してその説明を省略する。以下の実施例においても、同じ部材に同じ符号を付してその説明を省略する。
【００２６】
上記のように、ハブ９の周面の上下端に垂直巻面１６を設けると、磁気テープ２をテープ巻面１５に巻き付ける際に、上下のテープ縁が垂直巻面１６に巻き付けられる。テープ巻層が形成された状態においても、同様に上下のテープ縁がテープ巻層の上下端に垂直姿勢で巻き付けられる。因みに、単リール形のテープカートリッジにおいては、磁気テープ２がテープリール３に対して常に満巻状態で巻き込み収納される。したがって、磁気テープ２を繰り出し供給する際には、その上下のテープ縁が垂直姿勢になった状態で送給されることになり、テープドライブ側のガイドローラーによるテープ幅方向の位置補正を的確に行える。つまり、磁気テープ２をさらに安定した状態でテープリール３から繰り出し供給して、サーボヘッドによるサーボトラックのトレースをさらに的確に行える。
【００２７】
また、垂直巻面１６を設ける場合でも、実施例１と同様に、磁気テープ２はテープ巻面１５の凹み形状に沿って巻き込まれる。したがって、磁気テープ２がテープ巻層に外接する部分においては、実施例１のテープリール３と同様に反力の垂直分力成分によって、位置ずれしようとする磁気テープ２を、テープ巻面１５の凹部の上下中央へ向かって変位させて、適正な位置に適正な姿勢で巻き込むことができる。なお、垂直巻面１６の上下長さ寸法ａは、磁気テープ２の幅寸法を１２．７ｍｍとするとき、０．０５〜０．３ｍｍの範囲で選定することが好ましい。
【００２８】
（実施例３）  図７は本発明に係るテープカートリッジの実施例３を示す。そこでは、上フランジ７と下フランジ８とハブ９との三者を一体に成形してテープリール３とした。この場合には、ハブ９の周面に実施例１と同じ形状の部分円弧面からなるテープ巻面１５を形成した。このようにテープリール３を１個の独立部品で構成すると、上フランジ７をリール主体６に締結固定する手間を省くことができ、しかも上フランジ７、下フランジ８、ハブ９の三者の位置精度や形状精度を向上して、テープリール３の信頼性を向上できる。
【００２９】
（実施例４）  図８は本発明に係るテープカートリッジの実施例４を示す。そこでは、テープ巻面１５を、垂直の胴部面１７と、胴部面１７の上下端に連続して形成される部分円弧面からなる円弧面１８とで構成した。この場合には、位置ずれしようとする磁気テープ２を、上下の円弧面１８の自動調心作用によって適正な位置へ変位させて、適正な姿勢で巻き込むことができる。円弧面１８の円弧半径は、実施例１におけるテープ巻面１５の円弧半径と同じとした。この実施例における上方の円弧面１８は上すぼまり状のテーパー面に、下方の円弧面１８は下すぼまり状のテーパー面にそれぞれ変更することができる。
【００３０】
上記の実施例においては、ハブ９が上面側へ向かって開口するリール主体６について説明したが、リール主体６はハブ９が下面側へ向かって開口する構造であってもよい。その場合には、上フランジ７をハブ９の上端壁に接合固定することになる。上フランジ７は、リール主体６に対して超音波溶着法によって溶着固定する必要はなく、ビスを使用して締結固定することができる。テープ巻面１５は、ひとつの部分円弧面で形成する必要はなく、２以上の部分円弧面で形成し、あるいは実施例４で説明したように、部分円弧面と直線とを組み合わせて形成することができる。必要があれば、上半部と下半部が対称な湾曲面で形成してもよい。スライドコア２２は３以上に分割形成することができる。
【００３１】
上記の実施例においては、サーボトラック方式のテープカートリッジについて説明したが、本発明は映像信号、音声信号、コンピュータデータなどを記録するテープカートリッジのテープリールにも同様に適用できる。記録テープとしては、磁気テープ以外に、光磁気信号を読み書きする記録テープであってもよい。
【図面の簡単な説明】
【００３２】
【図１】実施例１に係るテープリールの縦断正面図である。
【図２】テープカートリッジの一部を破断した概略平面図である。
【図３】テープカートリッジの一側半部の縦断正面図である。
【図４】テープリールの成形用金型の概略を示す断面図である。
【図５】成形用金型の離型状態を示す概略構造説明図である。
【図６】実施例２に係るテープリールの縦断正面図である。
【図７】実施例３に係るテープリールの要部のみの縦断正面図である。
【図８】実施例４に係るテープリールの要部のみの縦断正面図である。
【符号の説明】
【００３３】
１  本体ケース
２  記録テープ
３  テープリール
９  テープリールのハブ
９ａ  ハブの周面の上端縁
９ｂ  ハブの周面の下端縁
１５  テープ巻面
１６  垂直巻面
【図１】
2009099222.tif 000003
【図２】
2009099222.tif 000004
【図３】
2009099222.tif 000005
【図４】
2009099222.tif 000006
【図５】
2009099222.tif 000007
【図６】
2009099222.tif 000008
【図７】
2009099222.tif 000009
【図８】
2009099222.tif 000010